(57)【要約】【課題】グリース等の基油のブラシや整流子への付着を低減することにより、ブラシの摩耗を低減する小型モータ及びブラシアームの製造方法を提供することを目的とする。【解決手段】永久磁石を内周面に取り付けた金属製の有底中空筒状のケースと、該ケースの開口部を閉じるように嵌着される金属製のケース蓋と、前記ケースと前記ケース蓋とにそれぞれ設けられた軸受けによって回転可能に支持されるシャフト、該シャフト上に取り付けられる積層コア、該積層コアに巻いた巻線及び整流子により構成される回転子と、前記整流子に摺接するブラシと、前記ブラシを支持するブラシアームと、を有する小型モータであって、前記ブラシアームの両側面には、当該ブラシアームを内包するように所定の多孔質材料が結合して取り付けられることを特徴とする。【選択図】図６
2009219236.tif 000002
【特許請求の範囲】
【請求項１】
永久磁石を内周面に取り付けた金属製の有底中空筒状のケースと、
該ケースの開口部を閉じるように嵌着される金属製のケース蓋と、
前記ケースと前記ケース蓋とにそれぞれ設けられた軸受けによって回転可能に支持されるシャフト、該シャフト上に取り付けられる積層コア、該積層コアに巻いた巻線及び整流子により構成される回転子と、前記整流子に摺接するブラシと、前記ブラシを支持するブラシアームと、を有する小型モータであって、
前記ブラシアームの両側面には、当該ブラシアームを内包するように所定の多孔質材料が結合して取り付けられることを特徴とする小型モータ。
【請求項２】
前記ブラシアームは、前記所定の多孔質材料との結合のためのバーリング加工が施された結合用開口部を少なくとも一つ有する形状であり、
前記所定の多孔質材料は、前記ブラシアームの一方の側面に取り付けられる前記ブラシアームと略同一の第一の形状と、前記第一の形状と一体化された第二の形状であって当該第二の形状が前記第一の形状との境界において折曲されることにより前記ブラシアームの他の側面に取り付けられる第二の形状と、を含む形状であり、
前記ブラシアームは、前記結合用開口部に該結合用開口部に対応して前記第二の形状に設けられた開口部を嵌め込み後、前記結合用開口部において前記所定の多孔質材料をかしめ固定することにより前記所定の多孔質材料が結合して取り付けられる構造であることを特徴とする請求項１に記載の小型モータ。
【請求項３】
前記所定の多孔質材料は、フェルト材であることを特徴とする請求項１又は２に記載の小型モータ。
【請求項４】
所定の多孔質材料との結合のためのバーリング加工が施された結合用開口部を少なくとも一つ有する形状のブラシアームと、前記ブラシアームの一方の側面に取り付けられる前記ブラシアームと略同一の第一の形状と前記第一の形状と一体化された第二の形状であって当該第二の形状が前記第一の形状との境界において折曲されることにより前記ブラシアームの他の側面に取り付けられる第二の形状とを含む形状の所定の多孔質材料と、を用いたブラシアームの製造方法であって、
前記ブラシアームの結合用開口部に該結合用開口部に対応して前記所定の多孔質材料の前記第二の形状に設けられた開口部を嵌め込み後、前記結合用開口部において前記所定の多孔質材料をかしめ固定する工程を有することを特徴とするブラシアームの製造方法。
【発明の詳細な説明】
【技術分野】
【０００１】
本発明は、小型モータ及びブラシアームの製造方法に関する。
【背景技術】
【０００２】
従来、自動車等の車両や各種装置における駆動源として様々なシステムを作動させる減速機付きモータ等の種々の小型モータが知られている。
【０００３】
このような小型モータでは、その寿命拡大等を目的に各種発明がなされてきた。
【０００４】
例えば特許文献１には、ケーシング内部の整流子とブラシとの摺動部の接触抵抗を低減してモータ性能を安定化させるとともに、摺動部の摩耗を抑制してモータ寿命を延ばす小型モータに係る技術が開示されている。また、特許文献２及び３には、整流子の摺動面に発生する異常摩耗やポリマーを防止し、安定した性能を発揮し得る小型モータに係る技術が開示されている。
【０００５】
さらに、特許文献４には、モータブラシで生じる振動を従来以上に低減することで、モータノイズを効果的に低減することができる構成を備えたモータブラシの制振部材に係る技術が開示されている。特許文献５には、モータの小型化・極小径及び小尺化に対し必要不可欠な重要部品として、潤滑油切れを起こさない焼結含油軸受の構造を提供し、軸受の長期間にわたる摩耗を最小限に抑え、小型モータの寿命拡大を実現する技術が開示されている。
【特許文献１】特開平０９−１０７６６０号公報
【特許文献２】特開平０７−３９１２５号公報
【特許文献３】特開平０６−７８５００号公報
【特許文献４】特開２００６−１７４６６６号公報
【特許文献５】特開２０００−１３９０５５号公報
【発明の開示】
【発明が解決しようとする課題】
【０００６】
ところで、従来の減速機付きモータでは、モータの出力軸（シャフト）と減速機ギヤ部が構造上近い場合、ギヤの劣化を防ぐためのグリース等の基油がモータ内部へ浸入し、ブラシや整流子（コンミテータ）に付着してブラシの摩耗を促進させる状況が起こってしまうという問題があった。
【０００７】
このような状況は、当該モータが自動車等の車両において用いられる場合には、当該モータの出力軸が車両横向きである横置き姿勢や車両上向きである縦置き姿勢の場合に発生する。
【０００８】
本発明は、上記の点に鑑みて、この問題を解消するために発明されたものであり、グリース等の基油のブラシや整流子への付着を低減することにより、ブラシの摩耗を低減する小型モータ及びブラシアームの製造方法を提供することを目的とする。
【課題を解決するための手段】
【０００９】
上記の目的を達成するために、本発明における小型モータは、永久磁石を内周面に取り付けた金属製の有底中空筒状のケースと、該ケースの開口部を閉じるように嵌着される金属製のケース蓋と、前記ケースと前記ケース蓋とにそれぞれ設けられた軸受けによって回転可能に支持されるシャフト、該シャフト上に取り付けられる積層コア、該積層コアに巻いた巻線及び整流子により構成される回転子と、前記整流子に摺接するブラシと、前記ブラシを支持するブラシアームと、を有する小型モータであって、前記ブラシアームの両側面には、当該ブラシアームを内包するように所定の多孔質材料が結合して取り付けられるように構成することができる。
【００１０】
また、上記の目的を達成するために、本発明における前記ブラシアームは、前記所定の多孔質材料との結合のためのバーリング加工が施された結合用開口部を少なくとも一つ有する形状であり、前記所定の多孔質材料は、前記ブラシアームの一方の側面に取り付けられる前記ブラシアームと略同一の第一の形状と、前記第一の形状と一体化された第二の形状であって当該第二の形状が前記第一の形状との境界において折曲されることにより前記ブラシアームの他の側面に取り付けられる第二の形状と、を含む形状であり、前記ブラシアームは、前記結合用開口部に該結合用開口部に対応して前記第二の形状に設けられた開口部を嵌め込み後、前記結合用開口部において前記所定の多孔質材料をかしめ固定することにより前記所定の多孔質材料が結合して取り付けられる構造であるように構成することができる。
【００１１】
また、上記の目的を達成するために、本発明における前記所定の多孔質材料は、フェルト材であるように構成することができる。
【００１２】
また、上記の目的を達成するために、本発明におけるブラシアームの製造方法は、所定の多孔質材料との結合のためのバーリング加工が施された結合用開口部を少なくとも一つ有する形状のブラシアームと、前記ブラシアームの一方の側面に取り付けられる前記ブラシアームと略同一の第一の形状と前記第一の形状と一体化された第二の形状であって当該第二の形状が前記第一の形状との境界において折曲されることにより前記ブラシアームの他の側面に取り付けられる第二の形状とを含む形状の所定の多孔質材料と、を用いたブラシアームの製造方法であって、前記ブラシアームの結合用開口部に該結合用開口部に対応して前記所定の多孔質材料の前記第二の形状に設けられた開口部を嵌め込み後、前記結合用開口部において前記所定の多孔質材料をかしめ固定する工程を有するように構成することができる。
【発明の効果】
【００１３】
本発明によれば、グリース等の基油のブラシや整流子への付着を低減することにより、ブラシの摩耗を低減する小型モータ及びブラシアームの製造方法を提供することができる。
【発明を実施するための最良の形態】
【００１４】
以下、本発明を実施するための最良の形態を図面に基づき説明する。
【００１５】
［実施の形態］
（小型モータの構造）
図１は、本実施形態における小型モータの構造を説明するための断面図である。図１において、小型モータ１は、ヨーク１１、エンドフレーム１２、マグネット１３、シャフト１４、アーマチャ１５、コンミテータ１６、ブラシ１７、ブラシホルダ１８、多孔質材料１９等を有する構成である。このような小型モータ１は、自動車等の車両においてはパワーウインド等の各種装置における駆動源として配設される。
【００１６】
ヨーク１１は、後述のマグネット１３を内周面に取り付けた金属製の有底中空筒状のケースである。エンドフレーム１２は、ヨーク１１の開口部を閉じるように嵌着される金属製のケース蓋である。
【００１７】
マグネット１３は、ヨーク１１の内周面に取り付けられる永久磁石であり、当該小型モータ１内部で基本磁界（界磁磁束）を生成するために配設されている。シャフト１４は、ヨーク１１とエンドフレーム１２とにそれぞれ設けられた軸受けによって回転可能に支持される回転軸である。
【００１８】
アーマチャ１５は、シャフト１４と、シャフト１４上に取り付けられる積層コア（積層鉄心）、該積層コアに巻いた巻線（電機子コイル）及び後述のコンミテータ（整流子）１６により構成される回転子である。コンミテータ１６は、アーマチャ１５の構成要素でもあり、後述するブラシ１７と摺接（接触）して整流を行う整流子である。
【００１９】
ブラシ１７は、コンミテータ１６に摺接して、電流を取り出し或いは供給するものである。黒鉛等が材料として用いられる。ブラシホルダ１８は、ブラシ１７の振動をエンドフレーム１２等に伝えないようにするために設けられる樹脂等で成型されたブラシの支持部品である。具体的には、ブラシ１７を支持する非図示のブラシアーム及びブラシアームに接続される電気入力端子（ターミナル）を支持する（このようなブラシホルダ１８の詳細例については、後述の「ブラシホルダの構造」において説明する）。
【００２０】
多孔質材料１９は、脱脂綿、フェルト材、スポンジのような内部に無数の微小な空孔をもつ材料である。本実施形態によれば、この多孔質材料１９がブラシホルダ１８の内部に設けられることにより、以下に掲げる利点を奏する。その利点とは、グリース等の基油が当該小型モータ１の内部へ浸入、或いは、もとから当該小型モータ１の内部にグリース等の基油が存在する場合であっても、基油が多孔質材料１９により吸収されることによりブラシ１７及びコンミテータ１６に付着することを防ぎ、その結果、当該小型モータ１の接触抵抗・アーク摩耗を低減し、また、ブラシ１７の摩耗を低減させることができることである。なお、本実施形態では、多孔質材料１９の一例としてフェルト材（以降、「フェルト材１９」とする）を用いて以降の説明を行う。
【００２１】
（ブラシホルダの構造）
図２は、本実施形態におけるブラシホルダの構造を説明するための図である。図２では、図１のブラシホルダ１８をシャフト１４の軸方向から見た構造を示している。ここでは、図１のブラシホルダ１８についてより詳細に説明を行う。
【００２２】
図２において、ブラシホルダ１８は、前述のブラシ１７、ブラシ１７を支持するブラシアーム２０、ブラシアーム２０の両側面に当該ブラシアーム２０を内包するように結合して取り付けられるフェルト材１９、ブラシアーム２０に接続される電気入力端子であるターミナル２１を備えた構成である。また、図２では、グリース等の基油が当該小型モータ１の内部へ浸入した場合の浸入経路の一例について矢印を用いて図示している。
【００２３】
図２を参照すると、矢印のようにグリース等の基油が当該小型モータ１の内部へ浸入した場合であっても、この基油はブラシアーム２０の両側面に取り付けられたフェルト材１９により吸収される。その結果、ブラシ１７及びブラシ１７に摺接するコンミテータ１６（非図示）に対する基油の付着を防ぐことができるようになる。そのため、当該小型モータ１の接触抵抗・アーク摩耗を低減し、又、ブラシ１７の摩耗を低減させることができる。
【００２４】
このようなブラシアーム２０及びブラシアーム２０に取り付けられるフェルト材１９のより詳細な構造について具体的に後述する。
【００２５】
（ブラシアームの構造）
図３は、本実施形態におけるブラシアームの構造を説明するための図である。図３では、フェルト材１９が取り付けられる前のブラシアーム２０の構造を示している。
【００２６】
ここでのブラシアーム２０は、平面型の直方体形状であり、ブラシ１７との結合のための開口部ＣＣ（図３では断面ＣＣ上の開口部）と、フェルト材１９との結合のための結合用開口部ＡＡ、ＢＢ（図３では断面ＡＡ上及びＢＢ上の２つの開口部）を少なくとも一つ有している構造である。なお、フェルト材１９との結合のための結合用開口部ＡＡ、ＢＢはバーリング加工が施されている。
【００２７】
（フェルト材の構造）
図４は、本実施形態におけるフェルト材の構造を説明するための図である。図４では、ブラシアーム２０に取り付けられる前のフェルト材１９の構造を示している。
【００２８】
ここでのフェルト材１９は、図４に示されるように第一の形状と第二の形状とを含む構造である。第一の形状及び第二の形状について詳細に後述する。
【００２９】
第一の形状とは、ブラシアーム２０の一方の側面（図３に示すブラシアーム２０の奥行き方向の面（下面））に取り付けられるブラシアーム２０と略同一の形状である。また、第一の形状にはブラシ１７を通すための開口部Ｃが図３の開口部ＣＣに対応して設けられている。
【００３０】
第二の形状とは、第一の形状と一体化される形状であって当該第二の形状が第一の形状との境界（図４の破線部）において折曲されることにより、ブラシアーム２０の他の側面（図３に示すブラシアーム２０の手前方向の面（上面））に取り付けられる形状である。また、第二の形状には、ブラシアーム２０との結合のための開口部Ａ、Ｂがそれぞれ図３の結合用開口部ＡＡ、ＢＢに対応して設けられている。
【００３１】
以上、図３及び図４を用いてブラシアーム２０及びブラシアーム２０に取り付けられるフェルト材１９の詳細な構造について説明を行ってきたが、各々の形状及び各々が有する開口部の数量、形状等は、上記の場合に限らないものとする。
【００３２】
（ブラシアームの製造例）
続いて、以上説明を行ってきたブラシアーム２０及びフェルト材１９を用いて本実施形態におけるブラシアーム２０の構造を製造するための各工程について、図面を参照しながら説明する。
【００３３】
まず、図３に示されるブラシアーム２０の一方の側面（下面）に図４に示されるフェルト材１９が置かれるように配置される。このとき、ブラシアーム２０の開口部ＣＣとフェルト材の開口部Ｃとが重なる位置関係になる。
【００３４】
次に、図４のフェルト材１９の第二の形状が第一の形状との境界（図４の破線部）において折曲される。そうすると、第二の形状は、ブラシアーム２０の他方の側面（上面）に被される。このとき、ブラシアーム２０の結合用開口部ＡＡ、ＢＢと第二の形状に設けられた開口部Ａ、Ｂとがそれぞれ重なる位置関係になる。
【００３５】
続いて、ブラシアーム２０の結合用開口部ＡＡ、ＢＢに、それぞれ対応するフェルト材１９の開口部Ａ、Ｂを嵌め込む（図５（ａ）参照）。嵌め込み後、ブラシアーム２０の結合用開口部ＡＡ、ＢＢにおいてフェルト材１９をかしめ固定する（図５（ｂ）参照）。
【００３６】
同様に、図３における開口部ＣＣについてもバーリング加工を施しておき、バーリング加工が施された開口部ＣＣに、対応するフェルト材１９の開口部Ｃを嵌め込み後、開口部ＣＣにおいてフェルト材１９をかしめ固定するように構成することもできる（図５（ｃ）参照）。
【００３７】
以上に示される工程を経ることにより、フェルト材１９は、ブラシアーム２０の両側面に、当該ブラシアーム２０を内包するように結合して取り付けられる（図５（ｄ）及び図６参照）。
【００３８】
これにより、グリース等の基油がブラシアーム２０の両側面から浸入した場合であってもブラシ１７に付着することを遮断することができる。なお、前述の「フェルト材の構造」において、第一の形状はブラシアーム２０と略同一の形状であるようにすると説明を行ったが、このようにフェルト材１９をブラシアーム２０と近い形状にすることによりフェルト材１９の体積を大きくしてグリース等の基油の吸収量を大きくすることができる。
【００３９】
また、本実施形態におけるブラシアーム２０とフェルト材１９とは、ブラシアーム２０に設けられる結合用開口部ＡＡ、ＢＢ、ＣＣにバーリング加工を施し、当該開口部ＡＡ、ＢＢ、ＣＣにおいてかしめ固定するだけなので、組み付け性が良いという別の利点も奏する。さらに、フェルト材１９が緩衝材としての役割を果たすため、当該小型モータ１の作動音を低減することができるという別の利点も奏する。
【００４０】
以上、実施の形態に基づき本発明の説明を行ってきたが、上記実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【００４１】
【図１】本実施形態における小型モータの構造を説明するための断面図である。
【図２】本実施形態におけるブラシホルダの構造を説明するための図である。
【図３】本実施形態におけるブラシアームの構造を説明するための図である。
【図４】本実施形態におけるフェルト材の構造を説明するための図である。
【図５】本実施形態におけるブラシアームの組立について説明するための図である。
【図６】本実施形態における成形後のブラシアームの構造を説明するための図である。
【符号の説明】
【００４２】
１           小型モータ
１１       ヨーク
１２       エンドフレーム
１３       マグネット
１４       シャフト
１５       アーマチャ
１６       コンミテータ
１７       ブラシ
１８       ブラシホルダ
１９       多孔質材料（フェルト材）
２０       ブラシアーム
２１       ターミナル
【図１】
2009219236.tif 000003
【図２】
2009219236.tif 000004
【図３】
2009219236.tif 000005
【図４】
2009219236.tif 000006
【図５】
2009219236.tif 000007
【図６】
2009219236.tif 000008